(57)【要約】      （修正有）【課題】ボルトとナットとを用いずにサドル継手とサドル継手固定具とを締結して分水栓を配水管に固定するサドル継手ユニットを提供すること。【解決手段】サドル継手ユニットは、サドル継手５と、サドル継手固定具６と、締結具とを有する。締結具は、締結具軸部材、サドル継手５に係止される締結具第１係止部材、サドル継手固定具６に係止される締結具第２係止部材、締結具軸部材に取り付けられたカムを備える。締結具第２係止部材は締結具軸部材に固定され、締結具第１係止部材は、締結具第２係止部材とカムとの間で移動可能である。カムの第１カム面部分を締結具第１係止部材に対向させた状態で締結具をサドル継手５とサドル継手固定具６とに係止し、カムを回転させると、サドル継手５とサドル継手固定具６とが接近して配水管を挟持する。【選択図】図２
2019100443.tif 000002
【特許請求の範囲】
【請求項１】
分水栓が接続される接続管部を有し、配水管の外周面に載置されるサドル継手と、
前記配水管を間に挟んで前記サドル継手とは反対側に配置されるサドル継手固定具と、
前記配水管の外周側で前記サドル継手と前記サドル継手固定具とに架け渡され当該サドル継手を前記配水管に締結する締結具と、を有し、
前記締結具は、軸部材と、前記サドル継手に係止される第１係止部材と、前記サドル継手固定具に係止される第２係止部材と、前記軸部材の軸線と交差する回転軸回りに回転可能な状態で当該軸部材に取り付けられたカムと、を備え、
前記第２係止部材は、前記軸部材に固定され、
前記第１係止部材は、前記第２係止部材と前記カムとの間で前記軸部材の軸線方向に移動可能な状態で当該軸部材に支持され、
前記カムは、前記回転軸回りの外周面にカム面を備え、
前記カム面は、前記回転軸からの距離が第１距離となる第１カム面部分と、前記回転軸からの距離が第１距離よりも長い第２カム面部分と、を備え、
前記第１カム面部分を前記第１係止部材に対向させた状態で当該第１係止部材を前記サドル継手に係止するとともに前記第２係止部材を前記サドル継手固定具に係止し、前記カムを回転させて前記第２カム面部分を前記第１係止部材に当接させると前記サドル継手と前記サドル継手固定具とが接近して前記配水管を挟持した状態となることを特徴とするサドル継手ユニット。
【請求項２】
前記カムに着脱可能に取り付けられて前記回転軸と交差する方向に突出するカム操作用部材を有することを特徴とする請求項１に記載のサドル継手ユニット。
【請求項３】
ロック機構を有し、
前記ロック機構は、前記カムが、前記第２カム面部分を前記第１係止部材に当接させた閉位置から前記第１カム面部分を前記第１係止部材に対向させる開位置に向かって回転することを阻止することを特徴とする請求項１または２に記載のサドル継手ユニット。
【請求項４】
前記配水管を間に挟んで前記締結具とは反対側で前記サドル継手と前記サドル継手固定具とを連結する連結具、を有し、
前記サドル継手は、前記配水管の外周面に載置されたときに前記配水管の周方向で前記接続管部を間に挟んだ両側で当該配水管の外周面から離間する方向に延びる第１継手側フランジ部および第２継手側フランジ部を備え、
前記サドル継手固定具は、前記配水管を間に挟んで前記サドル継手とは反対側に配置されたときに前記第１継手側フランジ部と隙間を開けて対向する第１固定具側フランジ部および前記第２継手側フランジ部と対向する第２固定具側フランジ部と、を備え、
前記連結具は、前記第１継手側フランジ部と前記第１固定具側フランジ部との間に架け渡されて当該第１継手側フランジ部と当該第１固定具側フランジ部との間が所定の距離以上離間することを阻止し、
前記締結具は、前記第１係止部材が前記第２継手側フランジ部に係止され前記第２係止部材が前記第２固定具側フランジ部に係止されることを特徴とする請求項１から３のうちのいずれか一項に記載のサドル継手ユニット。
【請求項５】
前記サドル継手は、前記配水管の外周面に載置されたときに前記配水管の周方向で前記接続管部を間に挟んだ両側で当該配水管の外周面から離間する方向に延びる第１継手側フランジ部および第２継手側フランジ部を備え、
前記サドル継手固定具は、前記配水管を間に挟んで前記サドル継手とは反対側に配置されたときに前記第１継手側フランジ部と隙間を開けて対向する第１固定具側フランジ部および前記第２継手側フランジ部と対向する第２固定具側フランジ部と、を備え、
前記締結具として、前記第１係止部材が前記第１継手側フランジ部に係止され前記第２係止部材が前記第１固定具側フランジ部に係止される第１の締結具と、前記第１係止部材が前記第２継手側フランジ部に係止され前記第２係止部材が前記第２固定具側フランジ部に係止される第２の締結具と、を備えることを特徴とする請求項１から３のうちのいずれか一項に記載のサドル継手ユニット。
【請求項６】
前記サドル継手は、前記配水管の外周面に載置されたときに前記配水管の周方向で前記接続管部を間に挟んだ一方側で当該配水管の外周面から離間する方向に延びる被係止部と他方側で当該配水管の外周面から離間する方向に延びる継手側フランジ部とを備え、
前記サドル継手固定具は、前記配水管を間に挟んで前記サドル継手とは反対側に配置されたときに前記被係止部に係止される係止部と、前記継手側フランジ部に隙間を開けて対向する固定具側フランジ部と、を有し、
前記締結具は、前記第１係止部材が前記継手側フランジ部に係止され前記第２係止部材が前記固定具側フランジ部に係止されることを特徴とする請求項１から３のうちのいずれか一項に記載のサドル継手ユニット。
【請求項７】
請求項１から６のうちのいずれか一項に記載のサドル継手ユニットと、
前記サドル継手の前記接続管部に接続された分水栓と、
を有することを特徴とするサドル付分水栓。
【発明の詳細な説明】
【技術分野】
【０００１】
本発明は、分水栓を配水管に固定するためのサドル継手ユニット、および、サドル分水栓に関する。
【背景技術】
【０００２】
分水栓を配水管に接続するためのサドル継手ユニットは特許文献１に記載されている。同文献のサドル継手ユニットは、配水管の外周面に載置されるサドル継手と、配水管を間に挟んでサドル継手とは反対側に配置されるサドル継手固定具と、配水管にサドル継手とサドル継手固定具とを固定するための複数のボルトおよびナットを有する。サドル継手は配水管の外周面に沿って周方向に湾曲する継手本体部と、継手本体部の周方向の中央部分において分水栓が接続される接続管部と、継手本体部の周方向の両側で配水管から離間する方向に突出する第１継手側フランジ部および第２継手側フランジ部を備える。サドル継手固定具は、配水管の外周面に沿って周方向に湾曲する固定具本体部と、継手本体部の周方向の両側で配水管から離間する方向に突出する第１固定具側フランジ部および第２固定具側フランジ部を備える。配水管を間に挟んでサドル継手とは反対側に配置されたときに第１継手側フランジ部と第１固定具側フランジ部とは隙間を開けて対向する。また、第２継手側フランジ部と第２固定具側フランジ部とは隙間を開けて対向する。第１継手側フランジ部と第１固定具側フランジ部との間、および、第２継手側フランジ部と第２固定具側フランジ部との間は、それぞれ、ボルトとナットとを用いて締結されている。
【先行技術文献】
【特許文献】
【０００３】
【特許文献１】特開２００３−４１９２号公報
【発明の概要】
【発明が解決しようとする課題】
【０００４】
サドル継手とサドル継手固定具との間にボルトとナットとを架け渡してサドル継手を配水管に締結する構成では、ナットの締め付けに時間がかかるという問題がある。また、施工を行う作業者によってナットの締め付け量がバラついてしまうという問題がある。さらに、防錆のためにステンレス鋼製のボルトとナットとを用いているときには、施工後にナットを緩める必要が生じたときに、ステンレス鋼の焼き付きによってネジ山が破損してしまい、ボルトやナットを再使用できなくなる場合がある。
【０００５】
本発明の課題は、このような点に鑑みて、ボルトとナットとを用いずにサドル継手とサドル継手固定具とを締結して分水栓を配水管に固定できるサドル継手ユニットおよびサドル付分水栓を提供することにある。
【課題を解決するための手段】
【０００６】
上記の課題を解決するために、本発明は、分水栓が接続される接続部を有し、配水管の外周面に載置されるサドル継手と、前記配水管を間に挟んで前記サドル継手とは反対側に配置されるサドル継手固定具と、前記配水管の外周側で前記サドル継手と前記サドル継手固定具とに架け渡され当該サドル継手を前記配水管に締結する締結具と、を有し、
前記締結具は、軸部材と、前記サドル継手に係止される第１係止部材と、前記サドル継手固定具に係止される第２係止部材と、前記軸部材の軸線と交差する回転軸回りに回転可能な状態で当該軸部材に取り付けられたカムと、を備え、前記第２係止部材は、前記軸部材に固定され、前記第１係止部材は、前記第２係止部材と前記カムとの間で前記軸部材の軸線方向に移動可能な状態で当該軸部材に支持され、前記カムは、前記回転軸回りの外周
面にカム面を備え、前記カム面は、前記回転軸からの距離が第１距離となる第１カム面部分と、前記回転軸からの距離が第１距離よりも長い第２カム面部分と、を備え、前記第１カム面部分を前記第１係止部材に対向させた状態で当該第１係止部材を前記サドル継手に係止するとともに前記第２係止部材を前記サドル継手固定具に係止し、前記カムを回転させて前記第２カム面部分を前記第１係止部材に当接させると前記サドル継手と前記サドル継手固定具とが接近して前記配水管を挟持した状態となることを特徴とする。
【０００７】
本発明によれば、締結具のカムの第１カム面部分を第１係止部材に対向させた状態で第１係止部材をサドル継手に係止するとともに、第２係止部材をサドル継手固定具に係止し、しかる後に、カムを回転させて第２カム面部分を第１係止部材に当接させれば、サドル継手とサドル継手固定具とが配水管が挟持した状態となる。従って、ボルトとナットとを用いずにサドル継手を配水管に締結できる。よって、サドル継手を配水管に締結する締結作業を迅速に行うことができる。また、カムを回転させたときにサドル継手とサドル継手固定具とが接近する距離（締め付け量）は、第１距離と第２距離との差分に対応するものとなる。従って、施工を行う作業者によって締め付け量がバラついてしまうことを回避できる。また、施工後に、サドル継手と配水管との締結を解除する必要が生じた場合でも、その解除が容易であり、締結具の再利用も容易である。すなわち、施工後に、カムを回転させて第１カム面部分が第１係止部材に対向する姿勢とすれば、第１係止部材と第２係止部材との間が離間する。従って、締結具をサドル継手およびサドル継手固定具から容易に取り外すことができる。また、締結の解除時に締結具を破損させることもないので、締結具の再利用が容易である。
【０００８】
本発明において、前記カムに着脱可能に取り付けられて前記回転軸と交差する方向に突出するカム操作用部材を有することが望ましい。このようなカム操作用部材を有すれば、カムを回転軸回りに回転させることが容易となる。従って、サドル継手を配水管に締結する締結作業が容易となる。また、カム操作用部材はカムに着脱可能とされているので、締結作業が終了した後にカムからカム操作用部材を取り外せば、施工後にカム操作用部材が周囲と干渉することがない。また、不慮のカム操作用部材の操作によって、サドル継手と配水管との締結が解除されてしまうことを防止できる。
【０００９】
本発明において、ロック機構を有し、前記ロック機構は、前記カムが、前記第２カム面部分を前記第２係止部材に当接させた閉位置から前記第１カム面部分を前記第２係止部材に対向させる開位置に向かって回転することを阻止することが望ましい。このようにすれば、意図せずに、サドル継手の配水管への締結が解除されてしまうことを防止できる。
【００１０】
本発明において、前記配水管を間に挟んで前記締結具とは反対側で前記サドル継手と前記サドル継手固定具とを連結する連結具、を有し、前記サドル継手は、前記配水管の外周面に載置されたときに前記配水管の周方向で前記接続管部を間に挟んだ両側で当該配水管の外周面から離間する方向に延びる第１継手側フランジ部および第２継手側フランジ部を備え、前記サドル継手固定具は、前記配水管を間に挟んで前記サドル継手とは反対側に配置されたときに前記第１継手側フランジ部と隙間を開けて対向する第１固定具側フランジ部および前記第２継手側フランジ部と対向する第２固定具側フランジ部と、を備え、前記連結具は、前記第１継手側フランジ部と前記第１固定具側フランジ部との間に架け渡されて当該第１継手側フランジ部と当該第１固定具側フランジ部との間が所定の距離以上離間することを阻止し、前記締結具は、前記第１係止部材が前記第２継手側フランジ部に係止され前記第２係止部材が前記第２固定具側フランジ部に係止されるものとすることができる。このようにすれば、締結具と連結具とを用いてサドル継手を配水管に締結できる。
【００１１】
本発明において、前記サドル継手は、前記配水管の外周面に載置されたときに前記配水管の周方向で前記接続管部を間に挟んだ両側で当該配水管の外周面から離間する方向に延
びる第１継手側フランジ部および第２継手側フランジ部を備え、前記サドル継手固定具は、前記配水管を間に挟んで前記サドル継手とは反対側に配置されたときに前記第１継手側フランジ部と隙間を開けて対向する第１固定具側フランジ部および前記第２継手側フランジ部と対向する第２固定具側フランジ部と、を備え、前記締結具として、前記第１係止部材が前記第１継手側フランジ部に係止され前記第２係止部材が前記第１固定具側フランジ部に係止される第１の締結具と、前記第１係止部材が前記第２継手側フランジ部に係止され前記第２係止部材が前記第２固定具側フランジ部に係止される第２の締結具と、を備えるものとすることができる。このようにすれば、２つの締結具によりサドル継手を配水管に締結できる。
【００１２】
本発明において、前記サドル継手は、前記配水管の外周面に載置されたときに前記配水管の周方向で前記接続管部を間に挟んだ一方側で当該配水管の外周面から離間する方向に延びる被係止部と他方側で当該配水管の外周面から離間する方向に延びる継手側フランジ部とを備え、前記サドル継手固定具は、前記配水管を間に挟んで前記サドル継手とは反対側に配置されたときに前記被係止部に係止される係止部と、前記継手側フランジ部に隙間を開けて対向する固定具側フランジ部と、を有し、前記締結具は、前記第１係止部材が前記継手側フランジ部に係止され前記第２係止部材が前記固定具側フランジ部に係止されることが望ましい。このようにすれば、一つの締結具を用いてサドル継手を配水管に締結できる。
【００１３】
次に、本発明のサドル付分水栓は、上記のサドル継手ユニットと、前記サドル継手の前記接続管部に接続された分水栓と、を有することを特徴とする。
【００１４】
本発明によれば、サドル継手を配水管に締結に迅速に締結できるので、配水管と分水栓との接続を迅速に行うことができる。また、カムを回転させたときにサドル継手とサドル継手固定具とが接近する距離（締め付け量）が規定されるので、施工を行う作業者によってサドル継手を配水管に締結する際の締め付け量がバラついてしまうことを回避でき、施工の管理が容易となる。さらに、施工後に、分水栓と配水管との接続を解除する必要が生じた場合でも、締結具をサドル継手およびサドル継手固定具から容易に取り外すことができる。従って、締結具の再利用が容易である。よって、本発明のサドル付分水栓は仮設配管の用途に用いる場合にも適する。
【図面の簡単な説明】
【００１５】
【図１】サドル付分水栓の正面図である。
【図２】サドル継手、サドル継手固定具、および連結具の説明図である。
【図３】締結具の平面図、正面図、側面図である。
【図４】サドル継手とサドル継手固定具に連結具を係止した状態の説明図である。
【図５】サドル継手とサドル継手固定具に締結具を係止した状態の説明図である。
【図６】締結具からハンドルを取り外した状態の説明図である。
【図７】変形例２のサドル付分水栓の正面図である。
【図８】変形例２のサドル継手およびサドル継手固定具の説明図である。
【発明を実施するための形態】
【００１６】
以下に、図面を参照して、本発明の実施の形態のサドル付分水栓を説明する。
【００１７】
図１は本発明を適用したサドル付分水栓の正面図である。図２（ａ）は分水栓およびサドル継手の平面図であり、図２（ｂ）はサドル継手固定具の底面図であり、図２（ｃ）は連結具の正面図である。図３（ａ）は締結具の平面図であり、図３（ｂ）は締結具の正面図であり、図３（ｃ）は締結具の側面図である。
【００１８】
図１に示すように、サドル付分水栓１は配水管２に固定され、配水管２を流通する水などの流体が分水栓３を経由するように分岐させる。配水管２は金属製または樹脂製である。配水管２には、当該配水管２の管軸Ｌ０方向の所定の位置に分水のための穿孔４が設けられている。サドル付分水栓１は穿孔４と重なる位置に固定される。サドル付分水栓１が配水管２に固定された状態では穿孔４と分水栓３とは連通する。
【００１９】
サドル付分水栓１は、分水栓３、分水栓３が接続されたサドル継手５、配水管２を間に挟んでサドル継手５とは反対側に位置するサドル継手固定具６、サドル継手５とサドル継手固定具６とに係止された連結具７、および、サドル継手５を配水管２に締結するための締結具８を備える。サドル継手５、サドル継手固定具６、連結具７、および、締結具８は、分水栓３を配水管２に接続するためのサドル継手ユニット１０を構成する。サドル継手５、サドル継手固定具６、連結具７および締結具８は、複数のサイズのものの中から配水管２の径寸法Ｄ０に適合する専用のサイズのものが選択されて用いられる。
【００２０】
以下では、サドル付分水栓１を配水管２に固定した姿勢に基づいてサドル付分水栓１を説明する。従って、管軸Ｌ０を挟んでサドル継手５とサドル継手固定具６とが対向する方向を上下方向Ｚとする。サドル継手５が位置する側を上方Ｚ１、サドル継手固定具６が位置する側を下方Ｚ２とする。また、管軸Ｌ０に沿った方向をサドル付分水栓１の前後方向Ｙとする。上下方向Ｚおよび前後方向Ｙと直交する方向をサドル付分水栓１の左右方向Ｘとする。左右方向Ｘの左側Ｘ１（左方向）および右側Ｘ２（右方向）は、図１におけるサドル付分水栓１の右側および左側とする。
【００２１】
図１および図２（ａ）に示すように、サドル継手５は配水管２の外周面に載置されるサドル本体部２１を備える。サドル本体部２１は、配水管２の外周面に沿って湾曲する。サドル本体部２１の曲率半径は、配水管２の外周面の曲率半径よりも僅かによりも大きい。また、サドル継手５は、配水管２の周方向におけるサドル本体部２１の中央部分に分水栓３が接続される接続管部２２を備える。接続管部２２は、円筒形状であり、配水管２の管軸Ｌ０と直交する方向に延びる。接続管部２２の中心穴はサドル本体部２１を上下方向Ｚに貫通する。サドル継手５は接続管部２２の中心穴が配水管２の穿孔４と連通する位置に配置される。
【００２２】
また、サドル継手５は、配水管２の周方向におけるサドル本体部２１の両端縁から外周側（配水管２から離間する方向）に突出する第１継手側フランジ部２３および第２継手側フランジ部２４を備える。第１継手側フランジ部２３はサドル本体部２１の左側Ｘ１の端縁から左側Ｘ１に延び、第２継手側フランジ部２４はサドル本体部２１の右側Ｘ２の端縁から右側Ｘ２に延びる。本例では、第１継手側フランジ部２３の上面２３ａおよび第２継手側フランジ部２４の上面２４ａは、同一の仮想平面上に位置している。
【００２３】
図２に示すように、第１継手側フランジ部２３および第２継手側フランジ部２４のそれぞれは、上下方向Ｚから見た場合に前後方向Ｙに長い板形状である。第１継手側フランジ部２３および第２継手側フランジ部２４は、それぞれ前後方向Ｙの中央部分に、その先端縁からサドル本体部２１の側に直線状に延びる切欠き部２５を備える。上下方向Ｚから見た場合に、各切欠き部２５は、サドル本体部２１の側の端部分に位置する円形開口部分２５ａと、円形開口部分２５ａの周方向の一部分から円形開口部分２５ａの直径よりも僅かに短い幅で第１継手側フランジ部２３および第２継手側フランジ部２４のそれぞれの先端縁に向かって延びる一定幅開口部分２５ｂとを備える。一定幅開口部分２５ｂは第１継手側フランジ部２３および第２継手側フランジ部２４のそれぞれの先端縁において外側に開口している。
【００２４】
次に、サドル継手固定具６は、配水管２の外周面に沿って湾曲する固定具本体部３１を
備える。固定具本体部３１の曲率半径は、配水管２の外周面の曲率半径よりも僅かによりも大きい。固定具本体部３１は、配水管２の周方向の中央部分に周方向に延びる長穴３２を備える。また、サドル継手固定具６は、配水管２の周方向における固定具本体部３１の両端縁から外周側に突出する第１固定具側フランジ部３３および第２固定具側フランジ部３４を備える。第１固定具側フランジ部３３は固定具本体部３１の左側Ｘ１の端縁から左側Ｘ１に延び、第２固定具側フランジ部３４は固定具本体部３１の右側Ｘ２の端縁から右側Ｘ２に延びる。本例では、第１固定具側フランジ部３３の下面３３ａおよび第２固定具側フランジ部３４の下面３４ａは、同一の仮想平面上を延びる。
【００２５】
第１固定具側フランジ部３３および第２固定具側フランジ部３４のそれぞれは、上下方向Ｚから見た場合に前後方向Ｙに長い板形状である。第１固定具側フランジ部３３および第２固定具側フランジ部３４は、それぞれ前後方向Ｙの中央部分に切欠き部３５を備える。各切欠き部３５は第１固定具側フランジ部３３および第２固定具側フランジ部３４の先端縁から固定具本体部３１の側に向かって直線状に延びる。上下方向Ｚから見た場合に、各切欠き部３５は、固定具本体部３１の側の端部分に位置する円形開口部分３５ａと、円形開口部分３５ａの周方向の一部分から円形開口部分３５ａの直径よりも僅かに短い幅で第１固定具側フランジ部３３および第２固定具側フランジ部３４のそれぞれの先端縁に向かって延びる一定幅開口部分３５ｂを備える。一定幅開口部分３５ｂは第１固定具側フランジ部３３および第２固定具側フランジ部３４のそれぞれの先端縁において外側に開口している。第１固定具側フランジ部３３および第２固定具側フランジ部３４の各切欠き部３５と、第１継手側フランジ部２３および第２継手側フランジ部２４の各切欠き部２５とは、同一の形状である。
【００２６】
図１に示すように、サドル継手５とサドル継手固定具６とを上下方向Ｚで配水管２を間に挟むように配置した場合には、第１継手側フランジ部２３と第１固定具側フランジ部３３とは上下方向Ｚで間隔を開けて対向する。また、第２継手側フランジ部２４と第２固定具側フランジ部３４とは上下方向Ｚで隙間を開けて対向する。サドル継手５とサドル継手固定具６とによって配水管２を間に挟んだ状態で、第１継手側フランジ部２３の上面２３ａと第１固定具側フランジ部３３の下面３３ａとを平行にすると、第２継手側フランジ部２４の上面２４ａと第２固定具側フランジ部３４の下面３４ａとが平行になる。ここで、サドル継手ユニット１０は、配水管２の径寸法Ｄ０に適合する専用のサイズのものが用いられている。従って、第１継手側フランジ部２３の上面２３ａ（第１固定具側フランジ部３３とは反対側の端面）と、第１固定具側フランジ部３３の下面３３ａ（第１継手側フランジ部２３とは反対側の端面）との間の距離は、所定の距離Ｄとなる。同様に、第２継手側フランジ部２４の上面（第２固定具側フランジ部３４とは反対側の端面）と、第２固定具側フランジ部３４の下面（第２継手側フランジ部２４とは反対側の端面）との間の距離は、所定の距離Ｄとなる。
【００２７】
連結具７は、連結具軸部材４１と、サドル継手５に係止される連結具第１係止部材４２と、サドル継手固定具６に係止される連結具第２係止部材４３とを備える。連結具軸部材４１は円柱形状である。連結具軸部材４１の直径は第１継手側フランジ部２３および第１固定具側フランジ部３３のそれぞれの切欠き部２５、３５の一定幅開口部分２５ｂ、３５ｂの幅よりも小さい。連結具第１係止部材４２は、連結具軸部材４１の上端部分に固定されている。連結具第２係止部材４３は連結具軸部材４１の下端部分に固定されている。
【００２８】
連結具第１係止部材４２および連結具第２係止部材４３は、上下方向Ｚから見た場合の輪郭形状が正多角形形状、或いは、円形である。連結具第１係止部材４２および連結具第２係止部材４３は、連結具軸部材４１に同軸に固定されており、全周に渡って連結具軸部材４１から外周側に突出している。上下方向Ｚから見た場合に、連結具第１係止部材４２および連結具第２係止部材４３は、第１継手側フランジ部２３および第１固定具側フラン
ジ部３３のそれぞれの切欠き部２５、３５の円形開口部分２５ａ、３５ａよりも大きい。
【００２９】
ここで、上下方向Ｚにおける連結具第１係止部材４２と連結具第２係止部材４３との間の寸法、すなわち、連結具第１係止部材４２の上面４２ａと連結具第２係止部材４３の下面４３ａとの間の距離Ｆは、第１継手側フランジ部２３の上面２３ａと第１固定具側フランジ部３３の下面３３ａとの間の所定の距離Ｄに対応する距離である。本例では、上下方向Ｚにおける連結具第１係止部材４２と連結具第２係止部材４３との間の寸法は、第１継手側フランジ部２３の上面と、第１固定具側フランジ部３３の下面との間の所定の距離Ｄと同一か、僅かに小さい。
【００３０】
図１、図３に示すように、締結具８は、締結具軸部材５１と、サドル継手５に係止される締結具第１係止部材５２と、サドル継手固定具６に係止される締結具第２係止部材５３とを備える。また、締結具８は、締結具軸部材５１の上端部分に取り付けられたカム５４と、カム５４に着脱可能に取り付けられたハンドル５５（カム操作用部材）と、を備える。さらに、締結具８は、カム５４の回転を規制するロック機構５６を備える。
【００３１】
締結具軸部材５１は円柱形状である。締結具軸部材５１の直径は第２継手側フランジ部２４および第２固定具側フランジ部３４のそれぞれの切欠き部２５、３５の一定幅開口部分２５ｂ、３５ｂの幅よりも小さい。締結具軸部材５１の上端部分にはカム５４が回転可能に取り付けられている。カム５４の回転軸Ｌ１は、上下方向Ｚに延びる締結具軸部材５１の軸線Ｌ２と直交する。締結具軸部材５１の下端部分には締結具第２係止部材５３が固定されている。
【００３２】
締結具第２係止部材５３は、上下方向Ｚから見た場合の輪郭形状が正多角形形状、或いは、円形である。締結具第２係止部材５３は、締結具軸部材５１に同軸に固定されており、全周に渡って締結具軸部材５１から外周側に突出している。上下方向Ｚから見た場合に、締結具第２係止部材５３は、第２固定具側フランジ部３４の切欠き部３５の円形開口部分３５ａよりも大きい。
【００３３】
締結具第１係止部材５２は、環状であり、その中心穴に締結具軸部材５１が貫通している。締結具第１係止部材５２は締結具第２係止部材５３とカム５４との間で上下方向Ｚ（締結具軸部材５１の軸線Ｌ２方向）に移動可能な状態で締結具軸部材５１に支持されている。締結具第１係止部材５２は、上下方向Ｚから見た場合の輪郭形状は正多角形形状、或いは、円形である。図３（ａ）に示すように、本例では、円形である。上下方向Ｚから見た場合に、締結具第２係止部材５３は、第２継手側フランジ部２４の切欠き部２５の円形開口部分２５ａよりも大きい。
【００３４】
ここで、締結具第１係止部材５２は、その上面にカム５４が摺接可能な摺接面５８を備える。摺接面５８は、内周側（締結具軸部材５１の側）に向かって下方Ｚ２に湾曲する環状の湾曲面である。
【００３５】
図３（ｃ）に示すように、カム５４は、締結具軸部材５１の軸線Ｌ２と直交する方向で締結具軸部材５１の上端部分を両側から挟んで対向する一対のカム板６１、６２と、一対のカム板６１、６２の対向方向で各カム板６１、６２の中央部分を連結する連結軸６３と、一対のカム板６１、６２の対向方向に延びてカム板６１、６２の外周縁の周方向の一部分を連結する連結部６４と備える。カム５４は、連結軸６３が締結具軸部材５１の上端部分に設けられた貫通穴を貫通した状態で、締結具軸部材５１に回転可能に支持される。連結軸６３の軸線はカム５４の回転軸Ｌ１である。一対のカム板６１、６２は、同一形状であり、回転軸Ｌ１方向から見た場合に重なる輪郭を備える。一対のカム板６１、６２の回転軸Ｌ１回りの外周面はカム面６５である。
【００３６】
図３（ｂ）に示すように、カム面６５は、回転軸Ｌ１からの距離が第１距離Ｄ１となる第１カム面部分６５ａと、軸線回りの周方向の一方側および他方側で回転軸Ｌ１からの距離が第１距離Ｄ１よりも長い第２距離Ｄ２となる一対の第２カム面部分６５ｂを備える。また、第１カム面部分６５ａと第２カム面部分６５ｂとの間でこれらを連続させる一対の第３カム面部分６５ｃと備える。第１カム面部分６５ａは、カム５４の径方向と直交して直線状に延びる。第２カム面部分６５ｂは回転軸Ｌ１を中心とする円弧面である。連結部６４は、回転軸Ｌ１を間に挟んで第１カム面部分６５ａとは反対側に設けられている。
【００３７】
ここで、カム５４の第１カム面部分６５ａを締結具第１係止部材５２に対向させて第１カム面部分６５ａと締結具第１係止部材５２とを当接させた場合に、締結具第１係止部材５２と締結具第２係止部材５３との間の距離Ｆ（後述する図５参照）は、第２継手側フランジ部２４の上面と、第２固定具側フランジ部３４の下面との間の所定の距離Ｄよりも長い。一方、第２カム面部分６５ｂを締結具第１係止部材５２に対向させて第２カム面部分６５ｂと締結具第１係止部材５２とを当接させた場合に、締結具第１係止部材５２と締結具第２係止部材５３との間の距離Ｇ（図１参照）は、第２継手側フランジ部２４の上面と、第２固定具側フランジ部３４の下面との間の所定の距離Ｄと同一か、或いは、所定の距離Ｄよりも僅かに短い距離となる。
【００３８】
図３（ｂ）、図３（ｃ）に示すように、カム５４の連結部６４には、外周側から回転軸Ｌ１に向かって窪む凹部６７が設けられている。ここで、ハンドル５５は、直線状に延びる棒状部７１と、棒状部７１の一方の端から棒状部７１の軸線方向の突出する凸部７２と、棒状部７１の他方端に設けられた球形状部７３と、を備える。ハンドル５５の凸部７２はカム５４の凹部６７と嵌合可能である。ハンドル５５は凸部７２が凹部６７に挿入されることによりカム５４に着脱可能に装着される。ハンドル５５をカム５４から取り外す際には、棒状部７１の軸線に沿ってハンドル５５をカム５４から離間させて、ハンドル５５の凸部７２をカム５４の凹部６７から引き抜く。
【００３９】
ロック機構５６は、カム５４が、第２カム面部分６５ｂを締結具第１係止部材５２に当接させた閉位置５４Ａ（図１参照）から第１カム面部分６５ａを締結具第１係止部材５２に対向させる開位置５４Ｂ（図３参照）に向かって回転することを阻止する。図１に示すように、ロック機構５６は、カム５４の一対のカム板６１、６２にそれぞれ形成された一対の貫通穴６８と、ロックピン７５と、を備える。一対の貫通穴６８は、一対のカム板６１、６２のそれぞれを回転軸Ｌ１方向に貫通する。回転軸Ｌ１方向から見た場合に、各カム板６１、６２の貫通穴６８は重なる。一対の貫通穴６８は、回転軸Ｌ１回りにおいて、第１カム面部分６５ａと第２カム面部分６５ｂとの間の角度位置の２か所に設けられている。
【００４０】
カム５４をロックする際には、図１に示すように、第２カム面部分６５ｂが締結具第１係止部材５２に当接させた閉位置５４Ａにあるときに、ロックピン７５を一対のカム板６１、６２の一対の貫通穴６８に貫通させる。ここで、ロックピン７５が一対の貫通穴６８を貫通した状態では、カム５４が閉位置５４Ａから開位置５４Ｂに回転しようとすると、一対のカム板６１、６２の間に位置するロックピン７５のピン部分が締結具軸部材５１と干渉する。これにより、カム５４が閉位置５４Ａから開位置５４Ｂに向かって回転することが阻止される。
【００４１】
（分水栓の配水管への接続動作）
図４はサドル継手５とサドル継手固定具６に連結具７を係止した状態の説明図である。図５はサドル継手５とサドル継手固定具６に締結具８を係止した状態の説明図である。図６は締結具８からハンドル５５を取り外した状態の説明図である。以下に、図１、図４か
ら図６を参照してサドル継手ユニット１０を用いて分水栓３を配水管２に接続する接続動作を説明する。
【００４２】
接続動作では、まず、分水栓３を接続したサドル継手５を配水管２に載置する。すなわち、サドル継手５の接続管部２２と配水管２の穿孔４とを重ねて、サドル本体部２１の凹状に湾曲する下面を配水管２の外周面に載置する。次に、サドル継手固定具６を配水管２に対してサドル継手５とは反対側に配置して、固定具本体部３１の凹状に湾曲する上面を配水管２の外周面に当接させる。
【００４３】
そして、図４に示すように、連結具７の連結具第１係止部材４２をサドル継手５の第１継手側フランジ部２３に係止させ、連結具７の連結具第２係止部材４３をサドル継手固定具６の第１固定具側フランジ部３３に係止させる。すなわち、連結具７の連結具軸部材４１を、第１継手側フランジ部２３および第１固定具側フランジ部３３の先端側から各切欠き部２５、３５に挿入して、連結具第１係止部材４２と連結具第２係止部材４３との間に第１継手側フランジ部２３および第１固定具側フランジ部３３を位置させる。そして、連結具第１係止部材４２を第１継手側フランジ部２３の上面２３ａに係止し、連結具第２係止部材４３を第１固定具側フランジ部３３の下面３３ａに係止する。より具体的には、連結具第１係止部材４２を第１継手側フランジ部２３の切欠き部２５の円形開口部分２５ａの開口縁に係止し、連結具第２係止部材４３を第１固定具側フランジ部３３の切欠き部３５の円形開口部分３５ａの開口縁に係止する。これにより、第１継手側フランジ部２３と第１固定具側フランジ部３３との間に架け渡された連結具７は、第１継手側フランジ部２３の上面２３ａと第１固定具側フランジ部３３の下面３３ａとの間が所定の距離Ｄ以上離間することを阻止するものとなる。
【００４４】
しかる後に、図５に示すように、締結具８の締結具第１係止部材５２をサドル継手５の第２継手側フランジ部２４に係止させ、締結具第２係止部材５３をサドル継手固定具６の第２固定具側フランジ部３４に係止させる。より具体的には、まず、ハンドル５５を操作して締結具８のカム５４を回転させて開位置５４Ｂに配置して、第１カム面部分６５ａを締結具第１係止部材５２に対向させた状態する。その後、締結具軸部材５１を、第２継手側フランジ部２４および第２固定具側フランジ部３４の先端側から各切欠き部２５、３５に挿入して、締結具第１係止部材５２と締結具第２係止部材５３との間に第２継手側フランジ部２４および第２固定具側フランジ部３４を位置させる。これにより、締結具第１係止部材５２を第１継手側フランジ部２３の切欠き部２５の円形開口部分２５ａの開口縁の上方Ｚ１に配置し、締結具第２係止部材５３を第１固定具側フランジ部３３の切欠き部３５の円形開口部分３５ａの開口縁の下方Ｚ２に配置する。
【００４５】
ここで、第１カム面部分６５ａを締結具第１係止部材５２に対向させて第１カム面部分６５ａと締結具第１係止部材５２とを当接させた場合に、締結具第１係止部材５２と締結具第２係止部材５３との間の距離Ｆは、所定の距離Ｄよりも長い。従って、締結具第１係止部材５２と締結具第２係止部材５３との間に第２継手側フランジ部２４および第２固定具側フランジ部３４を位置させることが容易である。
【００４６】
次に、ハンドル５５を操作して締結具８のカム５４を回転させて、第２カム面部分６５ｂを締結具第１係止部材５２に対向させる。カム５４の第２カム面部分６５ｂを締結具第１係止部材５２に対向させた状態は図１に示す状態である。
【００４７】
ここで、第２カム面部分６５ｂと回転軸Ｌ１との間の第２距離Ｄ２は第１カム面部分６５ａと回転軸Ｌ１との間の第１距離Ｄ１よりも長く、第２カム面部分６５ｂは第１カム面部分６５ａよりも外周側に突出している。従って、カム５４を回転させて、第２カム面部分６５ｂを締結具第１係止部材５２に対向させると、図１に矢印で示すように、カム面６
５は締結具第１係止部材５２に接触して、締結具第１係止部材５２を締結具第２係止部材５３の側に移動させる。そして、第２カム面部分６５ｂと締結具第１係止部材５２とが当接した状態では、締結具第１係止部材５２と締結具第２係止部材５３との間の距離は、所定の距離Ｄか、所定の距離Ｄよりも僅かに短くなる。従って、サドル継手５とサドル継手固定具６とは、配水管２を上下方向Ｚの両側から挟持した状態となる。従って、サドル継手５は配水管２に締結される。よって、分水栓３は配水管２に接続される。
【００４８】
その後、図６に示すように、カム５４の一対のカム板６１、６２に設けられた貫通穴６８にロックピン７５を貫通させて、ロック機構５６を機能させる。また、ハンドル５５をカム５４から取り外す。
【００４９】
なお、本例では、締結具８はカム５４の回転軸Ｌ１が左右方向Ｘに延びるようにしてサドル継手５とサドル継手固定具６とに係止しているが、締結具８を締結具軸部材５１の軸線回りに９０°回転させて、カム５４の回転軸Ｌ１が左右方向Ｘを向く姿勢としてサドル継手５とサドル継手固定具６とに係止してもよい。この場合には、サドル継手５を配水管２に締結する際に、ハンドル５５を配水管２に沿って前後方向Ｙに操作する。
【００５０】
また、締結具８を第１継手側フランジ部２３および第１固定具側フランジ部３３部に係止し、連結具を第２継手側フランジ部２４および第２固定具側フランジ部３４部に係止してもよいことは勿論である。
【００５１】
さらに、サドル継手固定具６の固定具本体部３１に設けられた長穴３２は省略できる。
【００５２】
（作用効果）
本例によれば、締結具第１係止部材５２をサドル継手５に係止するとともに、締結具第２係止部材５３をサドル継手固定具６に係止し、しかる後に、カム５４を回転させて第２カム面部分６５ｂを締結具第１係止部材５２に当接させれば、サドル継手５とサドル継手固定具６とが配水管２を挟持した状態となる。従って、ボルトとナットとを用いずにサドル継手５を配水管２に締結できる。これにより、ボルトを締め付ける作業が必要なくなるので、サドル継手５を配水管２に締結する締結作業を迅速に行うことができる。
【００５３】
また、カム５４を回転させたときにサドル継手５とサドル継手固定具６とが接近する距離（締め付け量）は、第１距離Ｄ１と第２距離Ｄ２との差分に対応するものとなる。従って、施工を行う作業者によって締め付け量がバラついてしまうことを回避でき、施工の管理が容易となる。
【００５４】
さらに、施工後に、サドル継手５と配水管２との締結を解除する必要が生じた場合でも、その解除が容易であり、締結具８の再利用も容易である。すなわち、施工後に、カム５４を回転させて第１カム面部分６５ａが締結具第１係止部材５２に対向する姿勢とすれば、締結具第１係止部材５２と締結具第２係止部材５３との間の距離が所定の距離Ｄよりも長い距離Ｆまで離間する。従って、締結具８をサドル継手５およびサドル継手固定具６から容易に取り外すことができる。また、締結の解除時に締結具８を破損させることもないので、締結具８の再利用が容易である。
【００５５】
また、本例では、締結具８のカム５４に、カム５４の回転方向と直交する方向に突出するハンドル５５が着脱可能に取り付けられている。このようなハンドル５５を有すれば、カム５４を回転軸Ｌ１回りに回転させることが容易となる。従って、サドル継手５を配水管２に締結する締結作業が容易となる。また、ハンドル５５は着脱可能なので、締結作業が終了した後にカム５４からハンドル５５を取り外せば、施工後にハンドル５５が周囲と干渉することがない。また、不慮のハンドル５５の操作によって、サドル継手５と配水管
２との締結が解除されてしまうことを防止できる。
【００５６】
さらに、本例では、カム５４が、第２カム面部分６５ｂを締結具第２係止部材５３に当接させた閉位置５４Ａから第１カム面部分６５ａを締結具第２係止部材５３に対向させる開位置５４Ｂに向かって回転することを阻止するロック機構５６を備える。従って、ロック機構５６によってカム５４をロックすれば、意図せずに、サドル継手５の配水管２への締結が解除されてしまうことを防止できる。
【００５７】
なお、上記の例では、サドル継手５の第１継手側フランジ部２３の上面２３ａおよび第２継手側フランジ部２４の上面２４ａは同一の仮想平面上に位置しているが、同一の仮想平面上に位置していなくてもよい。同様に、サドル継手固定具６の第１固定具側フランジ部３３の下面３３ａおよび第２固定具側フランジ部３４の下面３４ａは同一の仮想平面上に位置しているが、同一の仮想平面上に位置していなくてもよい。
【００５８】
例えば、サドル付分水栓１を配水管２に固定した姿勢とした場合に、第１継手側フランジ部２３を、サドル本体部２１の左側Ｘ１の端縁から左側Ｘ１に向かって下方Ｚ２に傾斜させて、その上面２３ａを左側Ｘ１の端に向かって下方Ｚ２に傾斜する傾斜面とすることができる。同様に、第２継手側フランジ部２４を、サドル本体部２１の右側Ｘ２の端縁から右側Ｘ２に向かって下方Ｚ２に傾斜させて、その上面２４ａを右側Ｘ２の端に向かって下方Ｚ２に傾斜する傾斜面とすることができる。そして、この場合には、サドル継手固定具６の第１固定具側フランジ部３３を、サドル本体部２１の左側Ｘ１の端縁から左側Ｘ１に向かって下方Ｚ２方向に傾斜させて、その下面３３ａを左側Ｘ１の端に向かって下方Ｚ２に傾斜する傾斜面とする。同様に、サドル継手固定具６の第２固定具側フランジ部３４を、サドル本体部２１の右側Ｘ２の端縁から右側Ｘ２に向かって下方Ｚ２方向に傾斜させて、その下面３４ａを右側Ｘ２の端に向かって下方Ｚ２に傾斜する傾斜面とする。
【００５９】
このようにした場合でも、サドル継手５とサドル継手固定具６とを上下方向Ｚで配水管２を間に挟むように配置したときに、第１継手側フランジ部２３と第１固定具側フランジ部３３とを上下方向Ｚで間隔を開けて対向させることができる。また、第２継手側フランジ部２４と第２固定具側フランジ部３４とを上下方向Ｚで隙間を開けて対向させることができる。さらに、サドル継手５とサドル継手固定具６とによって配水管２を間に挟んだ状態で、第１継手側フランジ部２３の上面２３ａと第１固定具側フランジ部３３の下面３３ａとを平行とし、第２継手側フランジ部２４の上面２４ａと第２固定具側フランジ部３４の下面３４ａとを平行とすることができる。また、第１継手側フランジ部２３の上面２３ａと第１固定具側フランジ部３３の下面３３ａとの間の距離、および、第２継手側フランジ部２４の上面２３ａと第１固定具側フランジ部３３の下面３３ａとの間の距離を所定の距離Ｄとすることができる。従って、サドル継手５とサドル継手固定具６との間に連結具７および締結具８を架け渡して、サドル継手５を配水管２に締結できる。
【００６０】
（変形例１）
上記の例において、連結具７に替えて、締結具８を用いることができる。すなわち、締結具８として、締結具第１係止部材５２が第１継手側フランジ部２３に係止され、締結具第２係止部材５３が第１固定具側フランジ部３３に係止される第１の締結具８と、締結具第１係止部材５２が第２継手側フランジ部２４に係止され締結具第２係止部材５３が第２固定具側フランジ部３４に係止される第２の締結具８と、を備えてもよい。
【００６１】
このようにすれば、２つの締結具８によってサドル継手５を配水管２に締結できる。本例においても、実施例１のサドル付分水栓１と同様の作用効果を得ることができる。
【００６２】
（変形例２）
図７は変形例２のサドル付分水栓の正面図である。図８は変形例２のサドル付分水栓のサドル継手５およびサドル継手固定具６の説明図である。変形例２のサドル付分水栓１Ａは、実施例１のサドル付分水栓１と対応する構成を備えるので、対応する部分には同一の符号を付して、その説明を省略する。
【００６３】
サドル付分水栓１Ａは、分水栓３、分水栓３が接続されたサドル継手５、配水管２を間に挟んでサドル継手５とは反対側に配置されたサドル継手固定具６、および、サドル継手５とサドル継手固定具６とを締結するための締結具８を備える。サドル継手５、サドル継手固定具６、締結具８は分水栓３を配水管２に接続するためのサドル継手ユニット１０Ａを構成する。サドル継手５、サドル継手固定具６、締結具８は、分水栓３が接続される配水管２の径寸法Ｄ０に適合する専用のサイズのものが選択されて用いられる。締結具８は上記のサドル付分水栓１の締結具８と同一である。
【００６４】
サドル継手５は、配水管２の外周面に載置されるサドル本体部２１を備える。また、サドル継手５は、配水管２の周方向におけるサドル本体部２１の中央部分に分水栓３が接続される接続管部２２を備える。さらに、サドル継手５は、配水管２の周方向におけるサドル本体部２１の左側Ｘ１の端縁から配水管２から離間する方向に延びる被係止部８１と、配水管２の周方向におけるサドル本体部２１の右側Ｘ２の端縁から外周側に延びる継手側フランジ部２４と、を備える。
【００６５】
図８に示すように、被係止部８１は、サドル本体部２１の前後方向Ｙの中央部分から一定幅で延びる軸部分８２と、軸部分８２の先端部分から前方に向かって突出する前側被係止部分８３と、後方に向かって突出する後側被係止部分８４とを備える。前側被係止部分８３および後側被係止部分８４は、円柱形状であり、これらは同軸に設けられている。前側被係止部分８３および後側被係止部分８４の軸線Ｌ３は、配水管２の管軸Ｌ０と平行である。継手側フランジ部２４は、上下方向Ｚから見た場合に前後方向Ｙに長い板形状である。継手側フランジ部２４は、前後方向Ｙの中央部分に、その先端縁からサドル本体部２１の側に直線状に延びる切欠き部２５を備える。上下方向Ｚから見た場合に、切欠き部２５は、サドル本体部２１の側の端部分に位置する円形開口部分２５ａと、円形開口部分２５ａの周方向の一部分から円形開口部分２５ａの直径よりも僅かに短い幅で継手側フランジ部２４の先端縁に向かって延びる一定幅開口部分２５ｂを備える。一定幅開口部分２５ｂは継手側フランジ部２４の先端縁において外側に開口している。
【００６６】
サドル継手固定具６は、サドル継手固定具６は配水管２の外周面に沿って湾曲する固定具本体部３１を備える。また、図７に示すように、サドル継手固定具６は、配水管２の周方向における固定具本体部３１の左側Ｘ１の端縁から外周側に突出する係止部８５と、配水管２の周方向におけるサドル本体部２１の右側Ｘ２の端縁から外周側に延びる固定具側フランジ部３４と、を備える。
【００６７】
図８に示すように、係止部８５は、固定具本体部３１の左側Ｘ１の端縁の前側部分から外周側に突出する前側係止部分８６と、後側部分から外周側に突出する後側係止部分８７とを備える。前側係止部分８６および後側係止部分８７は、凹部６７を下方Ｚ２（サドル継手５とは反対側）に向けた湾曲形状をしている。固定具側フランジ部３４は上下方向Ｚから見た場合に前後方向Ｙに長い板形状である。固定具側フランジ部３４は前後方向Ｙの中央部分に切欠き部３５を備える。切欠き部３５は固定具側フランジ部３４の先端縁から固定具本体部３１の側に向かって直線状に延びる。上下方向Ｚから見た場合に、切欠き部３５は、固定具本体部３１の側の端部分に位置する円形開口部分３５ａと、円形開口部分３５ａの周方向の一部分から円形開口部分３５ａの直径よりも僅かに短い幅で固定具側フランジ部３４の先端縁に向かって延びる一定幅開口部分３５ｂを備える。一定幅開口部分３５ｂは固定具側フランジ部３４の先端縁において外側に開口している。固定具側フラン
ジ部３４の切欠き部３５と、継手側フランジ部２４の切欠き部２５とは、同一の形状である。
【００６８】
（分水栓の配水管への接続動作）
図７を参照してサドル継手ユニット１０を用いて分水栓３を配水管２に接続する接続動作を説明する。接続動作では、まず、分水栓３を接続したサドル継手５を配水管２に載置する。すなわち、サドル継手５の接続管部２２と配水管２の穿孔４とを重ねて、サドル本体部２１を配水管２の外周面に載置する。次に、サドル継手固定具６を配水管２に対してサドル継手５とは反対側に配置して、サドル継手５の被係止部８１にサドル継手固定具６の係止部８５を係止させる。すなわち、サドル継手５の前側被係止部分８３に、配水管２の側からサドル継手固定具６の前側係止部分８６を係止させるとともに、サドル継手５の後側被係止部分８４に、配水管２の側からサドル継手固定具６の後側係止部分８７を係止させる。これにより、サドル継手固定具６は、管軸Ｌ０と平行な軸線Ｌ３（前側被係止部分８３および後側被係止部分８４の軸線Ｌ３）回りに回動可能な状態で、サドル継手５に係止される。
【００６９】
次に、サドル継手固定具６の固定具本体部３１を配水管２の外周面に当接させる。その後、締結具８の締結具第１係止部材５２をサドル継手５の継手側フランジ部２４に係止させ、締結具第２係止部材５３をサドル継手固定具６の固定具側フランジ部３４に係止させる。より具体的には、図５に示す場合と同様に、まず、ハンドル５５を操作して締結具８のカム５４を回転させて、第１カム面部分６５ａを締結具第１係止部材５２に対向させた状態する。その後、連結具７の締結具軸部材５１を、継手側フランジ部２４および固定部側フランジ部の先端側から各切欠き部２５、３５に挿入して、締結具第１係止部材５２と締結具第２係止部材５３との間に継手側フランジ部２４および固定具側フランジ部３４を位置させる。これにより、締結具第１係止部材５２を継手側フランジ部２４の切欠き部２５の円形開口部分２５ａの開口縁の上方Ｚ１に配置し、締結具第２係止部材５３を固定具側フランジ部３４の切欠き部３５の円形開口部分３５ａの開口縁の下方Ｚ２に配置する。
【００７０】
次に、ハンドル５５を操作して締結具８のカム５４を回転させて、第２カム面部分６５ｂを締結具第１係止部材５２に対向させる。ここで、第２カム面部分６５ｂは第１カム面部分６５ａよりも外周側に突出している。従って、図７に矢印で示すように、第１カム面部分６５ａからから第３カム面部分６５ｃを介し第２カム面部分６５ｂを締結具第１係止部材５２に対向させると、カム面６５は締結具第１係止部材５２に接触して、締結具第１係止部材５２を締結具第２係止部材５３の側に移動させる。
【００７１】
その後、第２カム面部分６５ｂと締結具第１係止部材５２とが当接した状態となると、サドル継手５とサドル継手固定具６とが配水管２を上下方向Ｚの両側から挟持する。すなわち、サドル継手５は配水管２に締結される。従って分水栓３が配水管２に接続される。その後、カム５４の一対のカム板６１、６２に設けられた貫通穴６８にロックピン７５を貫通させてロック機構５６を機能させる。そして、図６に示す場合と同様に、ハンドル５５をカム５４から取り外す。
【００７２】
本例のサドル付分水栓１Ａにおいても、実施例１のサドル付分水栓１と同様の作用効果を得ることができる。
【符号の説明】
【００７３】
１…サドル付分水栓、２…配水管、３…分水栓、５…サドル継手、６…サドル継手固定具、７…連結具、８…締結具、１０…サドル継手ユニット、２１…サドル本体部、２２…接続管部、２３…第１継手側フランジ部、２３ａ…第１継手側フランジ部の上面、２４…第２継手側フランジ部・継手側フランジ部、２４ａ…第２継手側フランジ部の上面、２５…
切り欠き部、２５ａ…円形開口部分、２５ｂ…一定幅開口部分、３１…固定具本体部、３２…長穴、３３…第１固定具側フランジ部、３３ａ…第１固定具側フランジ部の下面、３４…第２固定具側フランジ部・固定具側フランジ部、３４ａ…第２固定具側フランジ部の下面、３５…切り欠き部、３５ａ…円形開口部分、３５ｂ…一定幅開口部分、４１…連結具軸部材、４２…連結具第１係止部材、４２ａ…連結具第１係止部材の上面、４３ａ…下面、４３…第２係止部材、５１…締結具軸部材、５２…締結具第１係止部材、５３…締結具第２係止部材、５４…カム、５４Ａ…閉位置、５４Ｂ…開位置、５５…ハンドル（カム操作用部材）、５６…ロック機構、５８…摺接面、６１・６２…カム板、６３…連結軸、６４…連結部、６５…カム面、６５ａ…第１カム面部分、６５ｂ…第２カム面部分、６５ｃ…第３カム面部分、６７…凹部、６８…貫通穴、７１…棒状部、７２…凸部、７３…球形状部、７５…ロックピン、８１…被係止部、８２…軸部分、８３…前側被係止部分、８４…後側被係止部分、８５…係止部、８６…前側係止部分、８７…後側係止部分、Ｄ０…配水管の径寸法、Ｄ１…所定の距離、Ｄ２…距離、Ｌ０…配水管の管軸、Ｌ１…回転軸、Ｌ２…軸線、Ｌ３…軸線、Ｘ…左右方向、Ｙ…前後方向、Ｚ…上下方向
【図１】
2019100443.tif 000003
【図２】
2019100443.tif 000004
【図３】
2019100443.tif 000005
【図４】
2019100443.tif 000006
【図５】
2019100443.tif 000007
【図６】
2019100443.tif 000008
【図７】
2019100443.tif 000009
【図８】
2019100443.tif 000010